(57)【特許請求の範囲】
【請求項１】
プラントの運転状態から運転監視画面を構成して表示装置に表示するとともに、前記運転監視画面を複数備えて切り替え表示することができるプラント運転監視装置において、プラントのアラーム発生時に運転員が行った前記運転監視画面の切り替え操作を記録するアラーム連動操作履歴データベースと、新規アラーム発生時に、当該アラームに関する過去事例のときの運転員が行った前記運転監視画面の切り替え操作を前記アラーム連動操作履歴データベースから抽出するアラーム連動操作抽出手段と、現在表示されている運転監視画面の一部に、前記過去事例のときの運転員が行った前記運転監視画面の切り替え操作内容を含めて表示する画面表示制御手段と、前記表示装置の画面操作のための入力手段と、該入力手段による運転監視画面の切り替え操作内容を得る操作内容入力手段とを備え、前記アラーム連動操作履歴データベースは、アラーム発生時にプラントから得られる発生アラームデータと、前記操作内容入力手段から得られる使用操作データを互いに関連付けて記憶することを特徴とするプラント運転監視装置。
【請求項２】
プラントの運転状態から運転監視画面を構成して表示装置に表示するとともに、前記運転監視画面を複数備えて切り替え表示することができるプラント運転監視装置において、プラントのアラーム発生時に運転員が行った前記運転監視画面の切り替え操作を記録するアラーム連動操作履歴データベースと、新規アラーム発生時に、当該アラームに関する過去事例のときの運転員が行った前記運転監視画面の切り替え操作を前記アラーム連動操作履歴データベースから抽出するアラーム連動操作抽出手段と、現在表示されている運転監視画面の一部に、前記過去事例のときの運転員が行った前記運転監視画面の切り替え操作内容を含めて表示する画面表示制御手段を備え、前記アラーム連動操作抽出手段は、前記過去事例のときの運転員が行った前記運転監視画面の切り替え操作内容を、前記アラーム連動操作履歴データベースから抽出するときに、予め定められたソート条件により抽出することを特徴とするプラント運転監視装置。
【請求項３】
請求項２記載のプラント運転監視装置において、
前記ソート条件とは、発生したアラームに対して、平均操作時間の速さおよび熟練度指数の多さにより操作を抽出することを特徴とするプラント運転監視装置。
【請求項４】
プラントの運転状態から運転監視画面を構成して表示装置に表示するとともに、前記運転監視画面を複数備えて切り替え表示することができるプラント運転監視装置において、プラントのアラーム発生時に運転員が行った前記運転監視画面の切り替え操作を記録するアラーム連動操作履歴データベースと、新規アラーム発生時に、当該アラームに関する過去事例のときの運転員が行った前記運転監視画面の切り替え操作を前記アラーム連動操作履歴データベースから抽出するアラーム連動操作抽出手段と、現在表示されている運転監視画面の一部に、前記過去事例のときの運転員が行った前記運転監視画面の切り替え操作内容を含めて表示する画面表示制御手段を備え、前記運転監視画面は、アラーム発生計器の表示画面、アラーム発生系統のグラフィック表示画面、アラーム発生時の関連する各種データの時系列（トレンド）表示画面を含むことを特徴とするプラント運転監視装置。
【請求項５】
プラントの運転状態から運転監視画面を構成して表示装置に表示するとともに、前記運転監視画面を複数備えて切り替え表示することができるプラント運転監視装置において、プラントのアラーム発生時に運転員が行った前記運転監視画面の切り替え操作を記録するアラーム連動操作履歴データベースと、新規アラーム発生時に、当該アラームに関する過去事例のときの運転員が行った前記運転監視画面の切り替え操作を前記アラーム連動操作履歴データベースから抽出するアラーム連動操作抽出手段と、現在表示されている運転監視画面の一部に、前記過去事例のときの運転員が行った前記運転監視画面の切り替え操作内容を含めて表示する画面表示制御手段を備え、前記アラーム連動操作履歴データベースに格納された前記運転監視画面の切り替え操作内容の一部を選択して保管するアラーム連動操作データベースを備え、前記アラーム連動操作抽出手段は、アラーム連動操作データベースに保管した切り替え操作内容を、前記アラーム連動操作履歴データベースに保管した切り替え操作内容に優先して抽出し、前記画面表示制御手段により運転監視画面を構成することを特徴とするプラント運転監視装置。
【請求項６】
プラントの運転状態から運転監視画面を構成して表示装置に表示するとともに、前記運転監視画面を複数備えて切り替え表示することができるプラント運転監視装置において、プラントのアラーム発生時に運転員が行った前記運転監視画面の切り替え操作を記録するアラーム連動操作履歴データベースと、新規アラーム発生時に、当該アラームに関する過去事例のときの運転員が行った前記運転監視画面の切り替え操作を前記アラーム連動操作履歴データベースから抽出するアラーム連動操作抽出手段と、現在表示されている運転監視画面の一部に、前記過去事例のときの運転員が行った前記運転監視画面の切り替え操作内容が画面遷移順番に従い同時表示される画面表示制御手段を備えることを特徴とするプラント運転監視装置。
【請求項７】
請求項６記載のプラント運転監視装置において、
前記表示装置の画面操作のための入力手段と、該入力手段による運転監視画面の切り替え操作内容を得る操作内容入力手段とを備え、前記アラーム連動操作履歴データベースは、アラーム発生時にプラントから得られる発生アラームデータと、前記操作内容入力手段から得られる使用操作データを互いに関連付けて記憶することを特徴とするプラント運転監視装置。
【請求項８】
請求項６記載のプラント運転監視装置において、
前記アラーム連動操作抽出手段は、前記過去事例のときの運転員が行った前記運転監視画面の切り替え操作内容を、前記アラーム連動操作履歴データベースから抽出するときに、予め定められたソート条件により抽出することを特徴とするプラント運転監視装置。
【請求項９】
請求項８記載のプラント運転監視装置において、
前記ソート条件とは、発生したアラームに対して、平均操作時間の速さおよび熟練度指数の多さにより操作を抽出することを特徴とするプラント運転監視装置。
【請求項１０】
請求項６乃至９のいずれかに記載のプラント運転監視装置において、
前記運転監視画面は、アラーム発生計器の表示画面、アラーム発生系統のグラフィック表示画面、アラーム発生時の関連する各種データの時系列（トレンド）表示画面を含むことを特徴とするプラント運転監視装置。
【請求項１１】
請求項６乃至１０のいずれかに記載のプラント運転監視装置において、
前記アラーム連動操作履歴データベースに格納された前記運転監視画面の切り替え操作内容の一部を選択して保管するアラーム連動操作データベースを備え、前記アラーム連動操作抽出手段は、アラーム連動操作データベースに保管した切り替え操作内容を、前記アラーム連動操作履歴データベースに保管した切り替え操作内容に優先して抽出し、前記画面表示制御手段により運転監視画面を構成することを特徴とするプラント運転監視装置。
【発明の詳細な説明】
【技術分野】
【０００１】
本発明は、プラント運転監視装置に係り、特に運転員のアラーム発生時作業をサポートすることができるプラント運転監視装置に関する。
【背景技術】
【０００２】
化学プラントや上下水プラントなどのプラント設備を運転監視するシステムにおいては、プラント上で検知したアラームを監視画面上に表示して発生したアラームの解析を行っている。
【０００３】
運転員は、監視画面上に表示されたアラーム関連情報から、アラーム原因を究明して、その原因を取り除き、プラントを安定化させるべくプラントを制御操作する。この場合に、運転員の熟練度、経験に応じて安定に至るまでのプロセス、所要時間が相違する。プラント運転監視装置は、監視画面上にアラーム関連情報を表示することにより、運転員のアラーム発生時作業をサポートしている。
【０００４】
運転員によるアラーム解析をサポートする手法として、特許文献1では過去の履歴データベースを備えて、運転員の機器操作回数、操作頻度などを画面上に視覚的に強調表示させている。
【０００５】
特許文献２においても過去の履歴データベースを備えて、警報及び操作に関する情報を回数の多い順に表示する。
【先行技術文献】
【特許文献】
【０００６】
【特許文献１】特開平8-３６６８２号公報
【特許文献２】特開２００１−２３０５９号公報
【発明の概要】
【発明が解決しようとする課題】
【０００７】
特許文献１，２は、いずれも過去の履歴データベースを備えて運転員によるアラーム解析をサポートしているが、ここで着目した履歴データは操作端である機器の操作に関する情報（回数、頻度など）である。つまり、過去事例のアラーム発生の場合に最終的に操作した操作端機器を教示することで、当該機器操作による安定運転への移行を示唆するものである。
【０００８】
アラームの際の最終操作端を教示する特許文献１，２の考え方はそれなりに評価できるが、ここにはアラーム原因の究明の要素が欠如している。つまり、アラームの発生原因が判明して初めて、安定化に向けての対応操作、従って操作端機器が特定されるわけであるが、特許文献１，２では途中経過を省略してしまっている。
【０００９】
結果としては、同じ機器操作に至る可能性はあるが、何故その操作端を操作する必要性があるのかといった論理的思考の部分が欠如したままに操作端機器を制御すればよいというものではない。
【００１０】
係るアラーム原因の究明の場面では、運転員の熟練度、経験が大きく左右する。運転員の熟練度により、問題を特定するまでに要する時間が大きく相違する。アラーム発生の際に運転員は、いかなるプロセスを経由して原因究明にたどり着くのか、かかる解析過程は多くの場合にマニュアルに記載されるものではなく、運転員の暗黙知に属する。ベテラン運転員が、なぜ迅速に解析できるのか、その過程が明確にできれば、若手運転員への技術伝承、暗黙知から形式知への変更が可能である。
【００１１】
本発明においては、アラーム解析作業の支援を通じて、熟練した運転員の操作を形式知とし、若手運転員への技術継承を促すことができるプラント運転監視装置を提供することを目的とする。
【課題を解決するための手段】
【００１２】
本発明では、プラントの運転状態から運転監視画面を構成して表示装置に表示するとともに、運転監視画面を複数備えて切り替え表示することができるプラント運転監視装置において、プラントのアラーム発生時に運転員が行った運転監視画面の切り替え操作を記録するアラーム連動操作履歴データベースと、新規アラーム発生時に、当該アラームに関する過去事例のときの運転員が行った運転監視画面の切り替え操作をアラーム連動操作履歴データベースから抽出するアラーム連動操作抽出手段と、現在表示されている運転監視画面の一部に、過去事例のときの運転員が行った運転監視画面の切り替え操作内容を含めて表示する画面表示制御手段を備える。
【００１３】
また、表示装置の画面操作のための入力手段と、入力手段による運転監視画面の切り替え操作内容を得る操作内容入力手段とを備え、アラーム連動操作履歴データベースは、アラーム発生時にプラントから得られる発生アラームデータと、操作内容入力手段から得られる使用操作データを互いに関連付けて記憶する。
【００１４】
また、アラーム連動操作抽出手段は、過去事例のときの運転員が行った運転監視画面の切り替え操作内容を、アラーム連動操作履歴データベースから抽出するときに、予め定められたソート条件により抽出する。
【００１５】
また、ソート条件とは、発生したアラームに対して、平均操作時間の速さおよび熟練度指数の多さにより操作を抽出する。
【００１６】
また、運転監視画面は、アラーム発生計器の表示画面、アラーム発生系統のグラフィック表示画面、アラーム発生時の関連する各種データの時系列（トレンド）表示画面を含む。
【００１７】
また、アラーム連動操作履歴データベースに格納された運転監視画面の切り替え操作内容の一部を選択して保管するアラーム連動操作データベースを備え、アラーム連動操作抽出手段は、アラーム連動操作データベースに保管した切り替え操作内容を、アラーム連動操作履歴データベースに保管した切り替え操作内容に優先して抽出し、画面表示制御手段により運転監視画面を構成する。
【発明の効果】
【００１８】
アラーム発生時に過去に操作した内容を特定のメニュー上に配置することで、アラームに関連した画面への遷移を容易に行うことが可能となり運転員の煩雑さを解消することが可能となる。さらに、アラーム連動操作履歴データベースからアラーム連動操作データベースへの移行により、暗黙知である操作を形式知とすることで、運転員の熟練度によらずに、アラーム解析を可能とする。
【図面の簡単な説明】
【００１９】
【図１】本発明のプラント運転監視装置の構成を示す図。
【図２】表示装置に表示される運転監視画面の表示例を示す図。
【図３】メニュー１４の表示例を示す図。
【図４】アラーム連動操作の記録方法を示す図。
【図５】アラーム連動操作履歴の抽出方法を示す図。
【図６】アラーム連動操作履歴テーブルの構成を示す図。
【図７】発生アラームテーブルの構成を示す図。
【図８】アラーム種別テーブルの構成を示す図。
【図９】使用操作テーブルの構成を示す図。
【図１０】操作種別テーブルの構成を示す図。
【図１１】操作者テーブルの構成を示す図。
【図１２】テーブル間連系の構図を示す図。
【図１３】アラーム連動操作記録手段の処理フローを示す図
【図１４】アラーム連動操作抽出手段の処理フローを示す図
【図１５】アラーム連動操作データベースへの移行を示す図
【発明を実施するための形態】
【００２０】
以下、図を用いて本発明の実施例を説明する。
【実施例】
【００２１】
図１は、本発明の実施例に係わるプラント運転監視装置の構成を示すものである。図１の実施例では、プラント１からプラント情報入力手段２によりプラントデータおよびアラームを入力し、それぞれプラント情報データベース３、アラーム履歴データベース４に保存する。プラント情報データベース３は、プラント１の最新データを保存する。アラーム履歴データベース４は、プラント１で発生したアラームを時系列に保存する。
【００２２】
画面表示制御手段５では、プラント情報データベース３およびアラーム履歴データベース４に保存されたデータを取込み、表示装置７に表示する運転監視画面を作成する。また、表示装置７には、キーボードやマウス、あるいはタッチパネルなどの入力装置７１が付いており、それらの入力装置７１を操作することで、操作内容入力手段６により操作内容ＯＰを検出して、画面表示制御手段５による運転監視画面上の操作を行う。
【００２３】
アラーム連動操作記録手段８は、プラント情報入力手段２からアラームＡＬの発生を入力した場合、アラーム以降に運転員が表示装置７に対して実行した運転監視画面上の操作内容ＯＰを、アラーム連動操作履歴データベース９へ記録する。この記録は、予め設定された一定時間、または操作回数が予め設定された一定数に達するまで実行される。なお、アラーム連動操作記録手段８の詳細な処理内容については、図１３のフロー図を用いて別途説明する。
【００２４】
アラーム連動操作抽出手段１０では、アラーム発生時に表示装置７に表示する運転監視画面にアラーム表示を行う際、対応する過去アラームのときに運転員が実行・操作した内容を、運転監視画面のメニュー上へ表示する。過去事例で運転員が実行・操作した内容は、アラーム連動操作履歴データベース９から抽出する。対応する過去アラームとしては、今回発生したアラーム種別と同一、或いは類似の過去アラーム事例を抽出し、そのときに運転員が表示装置７に向かって行なった操作内容を抽出して表示させる。なお、アラーム連動操作抽出手段１０の詳細な処理内容については、図１４のフロー図を用いて別途説明する。
【００２５】
アラーム連動操作移行手段１１では、アラーム連動操作履歴データベース９に蓄積したデータを解析し、解析結果のアラーム連動操作データベース１２への移行を行う。
【００２６】
図２は、表示装置７に表示される運転監視画面Ｄの表示例を示す。運転監視画面Ｄの上部欄１３には、発生したアラームの内容が、例えば発生年月日時刻、入力信号名（ＰＩＣ１００２），発生事象（ＰＨ発生）として表示される。
【００２７】
また、運転監視画面Ｄの中央部１５０には、このアラームが検出されたプラント部位の周辺機器、検出器などが表示される。図２の例では容器Ｔに接続される配管Ｌと、配管Ｌ上の弁Ｖが表示されている。また、検出器がその入力信号名（ＰＩＣ１０００からＰＩＣ１００２）と共に表示されている。
【００２８】
また、画面上下には、メニュー欄１００が準備されており、各欄には発生したアラームの監視、操作に関連した画面やウィンドウを呼び出すことができるファンクションキーなどが配置されている。また、メニュー欄１００の表示の一部として、図１のアラーム連動操作抽出手段１０にて抽出された過去アラーム事例のときの操作が、メニュー１４に表示される。運転員がメニュー１４を操作した後、アラーム連動操作抽出手段１０にて抽出されていた、次の操作が表示される。
【００２９】
図３は、運転監視画面Ｄのメニュー１４の上にマウスポインタ１０１をおいて、右クリックしたときに表示される複合メニュー１５を示す。複合メニュー１５では、アラーム連動操作抽出手段１０にて抽出された過去アラーム事例のときに、運転員が実行した複数の操作が同時に表示される。図３の例では、アラーム発生計器の表示、アラーム発生系統のグラフィック表示、アラーム発生時の関連する各種データの時系列（トレンド）表示が表示されており、過去事例では運転員がこの順番に画面遷移させて現象の解明に当ったことが判る。
【００３０】
また、複合メニュー１５内には、アラーム連動操作の記録方法や抽出方法を選択するためのオプション画面１６も含まれる。これらは、アラーム連動操作抽出手段１０により抽出された過去事例から得られた情報を表示したものである。
【００３１】
図３でオプション画面１６を選択したときの画面（アラーム連動操作設定画面）例を図４、図５に示す。このオプション画面はタブ構成されており、図４は記録タブＴＡＢ１を選択したときのアラーム連動操作設定画面であり、図５は抽出タブＴＡＢ２を選択したときのアラーム連動操作設定画面である。
【００３２】
図４は、図３の複合メニュー１５内のオプション画面１６から選択したアラーム連動操作の記録方法を設定する記録方法設定画面１７の選択内容を示す。図１のアラーム連動操作記録手段８では、記録方法設定画面１７で設定された記録時間や記録数に基づいて、アラーム発生後の操作をアラーム連動操作履歴データベース９に記録する。ここでは、記録時間はアラーム発生から５分間、記録数は５回とした。
【００３３】
図５は、図３の複合メニュー１５内のオプション画面１６から選択したアラーム連動操作の抽出方法を設定するソート部分１８の選択内容を示す。アラーム連動操作履歴データベース９から抽出する操作の最大抽出数とソート条件を指定する。操作の最大抽出数とは、今回のアラーム解析で参考にする過去事例の数を意味しており、ここでは過去事例を５例までとした。
【００３４】
また、ソート条件指定において、操作回数を指定した場合には、同一操作のカウント数に基づいて抽出を行う。平均操作時間を指定した場合には、同一操作の操作時間の平均値に基づいて抽出を行う。熟練度を指定した場合には、同一操作の操作者に割り振られた熟練度の合計に基づいて抽出を行う。
【００３５】
次に図６から図１２により、アラーム連動操作履歴データベース９の内部構成を説明する。このデータベース９は、互いに連携する複数のテーブルから構成されており、図１２にテーブル間連系の構図を示す。このテーブル全体の中心に置かれるのは、図６のアラーム連動操作履歴テーブルであるので、最初に図６について説明する。
【００３６】
図６のアラーム連動操作履歴テーブルは、インデックスを示すＩＤ（１９）と、発生したアラームを示す発生アラームＮｏ（２０）と、運転員が操作した内容を示す使用操作Ｎｏ（２１）と、運転監視装置のログオンにより特定された操作者Ｎｏ（２２）と、アラーム発生から運転員が操作を行った操作時間（２３）で構成される。
【００３７】
このうち、発生アラームＮｏ（２０）と、使用操作Ｎｏ（２１）と、操作者Ｎｏ（２２）を新たなインデックスとして、それぞれ別種のテーブルが参照される。発生アラームＮｏ（２０）からは、図７の発生アラームテーブルが、使用操作Ｎｏ（２１）からは、図９の使用操作テーブルが、操作者Ｎｏ（２２）からは図１１の操作者テーブルがそれぞれ参照できる。
【００３８】
図６の発生アラームＮｏ（２０）は、図７の発生アラームテーブルのＩＤ（２０）を指し示す。図６の使用操作Ｎｏ（２１）は、図９の使用操作テーブルのＩＤ（２１）を指し示す。図６の操作者Ｎｏ（２２）は、図１１の操作者テーブルの操作者Ｎｏ（２２）を指し示す。
【００３９】
図７は、発生アラームテーブルの構成を示す。このテーブルは、インデックスを示すＩＤ（２０）と、発生アラームの種類を示すアラーム種別Ｎｏ（２５）と、発生アラームに付加されたＴＡＧなどの拡張情報を示す付加情報１（２６）と、付加情報２（２７）、および図１のアラーム連動操作データベース１２への移行を示す移行フラグ（２８）で構成される。
【００４０】
この発生アラームテーブルからは、アラーム種別Ｎｏ（２５）を更なるインデックスとして、図８のアラーム種別テーブルが参照できる。図７のアラーム種別Ｎｏ（２５）は、図８のアラーム種別テーブルのアラーム種別Ｎｏ（２５）を指し示す。
【００４１】
図８のアラーム種別テーブルは、発生したアラーム種別コードを示すアラーム種別Ｎｏ（２５）と、アラームの名称を示すアラーム名称（３０）と、アラーム出力時の書式フォーマットを示すアラームフォーマット（３１）で構成される。
【００４２】
図１２に戻り、使用操作Ｎｏ（２１）からは、図９の使用操作テーブルが参照できる。図９の使用操作テーブルは、インデックスを示すＩＤ（２１）と、操作した内容を示す操作種別Ｎｏ（３３）と、画面番号やＴＡＧなどの拡張情報を示す付加情報１（３４）と、付加情報２（３５）で構成される。
【００４３】
さらに、図９の使用操作テーブルの操作種別Ｎｏ（３３）からは、これをさらなるインデックスとして、図１０の操作種別テーブルが参照できる。図１０の操作種別テーブルは、操作内容を示す操作種別Ｎｏ（３３）と、操作名称（３７）で構成される。
【００４４】
再度図１２に戻り、図６の操作者Ｎｏ（２２）からは、図１１の操作者テーブルが参照できる。図１１の操作者テーブルは、操作者に番号を割当てた操作者Ｎｏ（２２）と、操作者（３９）と、熟練度（４０）で構成される。熟練度（４０）は、操作者の熟練度を重み付けしたものである。
【００４５】
図１２に示すように、図６から図１１に示す各テーブル間をインデックスで紐付け可能な構成をとることで、アラーム連動操作抽出手段１０により、データの抽出を行う際に、操作時間の平均や熟練度の合計を集計することで、操作回数以外の要因による抽出を可能とする。
【００４６】
なお、図６から図１１の各種テーブルは、過去の経験に基づく経験値として互いにデータ連携されて記憶されているものとする。
【００４７】
図１３に、アラーム連動操作記録手段８の処理フローを示す。運転員がアラームの発生を認知し、図１のキーボードやマウス、あるいはタッチパネルなどの入力装置７１を操作して運転監視画面を操作した際、アラーム連動操作記録手段８が実行される。
【００４８】
処理が開始されると、ステップＳ０１において、現在アラームが発生しているかの判定が行われ、アラームが発生していない場合、処理は終了する。アラームが発生している場合、ステップＳ０２において、現在時刻からアラーム発生時刻を減算することで経過時間の算出を行う。
【００４９】
次に、ステップＳ０３において、算出した経過時間と記録時間を比較し、経過時間が記録時間以上の場合、処理は終了する。なお、ここで記録時間は、図４のアラーム連動操作設定画面において、設定された時間であり、この場合は５分間である。
【００５０】
経過時間が記録時間に満たない場合、ステップＳ０４において現在の操作記録数と最大操作記録数を比較し、現在の記録数が最大記録数以上の場合は、処理を終了する。ここでアラーム連動操作記録数も、図４のアラーム連動操作設定画面において、設定された回数であり、この場合は５回である。
【００５１】
現在のアラーム連動操作記録数が最大記録数に満たない場合、ステップＳ０５において、今回新規に発生したアラームについてのデータ（発生アラームデータ）ＡＬを、プラント情報入力手段２から取得する。発生アラームデータＡＬは、少なくとも図７に定義される情報と、図８に定義される情報を含むものとして構成されており、例えば図２の画面上の計器「入出力信号名ＰＩＣ１００２」からのアラームであって、その内容は「ＰＨ発生」であったとする。
【００５２】
ステップＳ０５では、今回取得した発生アラームデータＡＬについての情報「ＰＩＣ１００２」「ＰＨ発生」をキーとして、図７の発生アラームテーブルを参照して、類似する過去事例を参照する。具体的には、アラーム種別Ｎｏ（２５）と、付加情報１（２６）および付加情報２（２７）が一致する行の情報を取得する。
【００５３】
今回のアラームでは、図２に記載のプラントにおいて入出力信号名がＰＩＣ１００２の計測器から発生しており、かつアラームの内容がＰＨ発生であるので、図６のＩＤ（１９）順に発生アラームＮｏ（２０）に対応する図７のアラーム種別Ｎｏ（２５）を探り、「ＰＨ発生」を意味するアラーム種別Ｎｏ（０７００７）と、「入出力信号名ＰＩＣ１００２」を記載する付加情報１の一致する発生アラームテーブル(図７)の行の情報を取得する。この例では、図7のＩＤ１がこれに当る。
【００５４】
なお、一致する行が存在しない場合、今回発生したアラームに対する過去事例が存在しないことを意味するので、今回発生したアラームの情報を、新たな知見としてアラーム連動操作履歴データベース９に記憶するために、図７の発生アラームテーブルに、新たに行の追加を行う。行の追加後は、処理を終了する。
【００５５】
ところで、図７の発生アラームテーブルには、図１のアラーム連動操作データベース１２への移行を示す移行フラグ（２８）が含まれている。次に、ステップＳ０６では、取得した発生アラームデータの移行フラグを判定する。
【００５６】
なお、移行フラグの意味については、図１１を用いて後述するが、要するにアラーム連動操作履歴データベース９に記憶された過去の経験値についての確認済みデータをアラーム連動操作データベース１２に移した場合に移行済みとしている。移行の判断は、アラーム連動操作移行手段を用いて、オフタイム（アラームが発生していない状態）に実行される。移行済みを示す「１」の場合、処理を終了する。
【００５７】
図7のＩＤ１の事例では、移行フラグ（２８）が未移行を示す値「０」である。この場合、ステップＳ０７において、今回新規に発生したアラーム以後に運転員が表示装置７の運転監視画面に向かって行った画面の操作内容に関するデータ（使用操作データ）を、操作内容入力手段６から取得する。
【００５８】
なお、使用操作データは、図9の情報と、図１０の情報を含む形式で構成されており、ここでは、例えば図２の画面Ｄの計器「入出力信号名ＰＩＣ１００２」からのアラーム以後の運転員操作として、「計器表示画面」を選択操作したものとする。
【００５９】
ステップＳ０７において、操作内容入力手段６から取得した使用操作データに含まれる情報「入出力信号名ＰＩＣ１００２」「計器表示画面」などをキーとして、図９の使用操作テーブルを参照する。具体的には、操作種別Ｎｏ（３３）と、付加情報１（３４）および付加情報２（３５）が一致する行の情報を取得する。
【００６０】
なお、一致する行が存在しない場合、今回発生したアラームに対する過去事例が存在しないことを意味するので、今回発生したアラーム後の操作情報を、新たな知見としてアラーム連動操作履歴データベース９に記憶するために、図７の発生アラームテーブルに、新たに行の追加を行う。行の追加後は、処理を終了する。
【００６１】
図２のアラーム事例では、「入出力信号名ＰＩＣ１００２」が関与しており、図９の使用操作テーブルを参照して、「入出力信号名ＰＩＣ１００２」を含む付加情報１（３４）として、図９の1行目の情報が抽出される。この操作種別Ｎｏ「１」は、計器表示であることから、過去事例では計器表示を参照する操作を実行したことが抽出できる。
【００６２】
ステップＳ０８では、ここまでの処理にて取得した図７の発生アラームデータのＩＤと、図９の使用操作データのＩＤを、アラーム連動操作履歴データベース９に登録する。なお、この登録のときに、上記ＩＤで特定された図１１の操作者Ｎｏおよび図６の経過時間も関連してアラーム連動操作履歴データベース９に登録される。
【００６３】
図１３のフローによる処理は、アラーム発生直後にオンラインで実行され、この結果としてアラーム連動操作履歴データベース９には、以上のようにして得られた過去の経験値と今回のアラームに対する操作内容が記憶されている。
【００６４】
図１４には、図１のアラーム連動操作抽出手段１０の処理フローを示す。図１４のフローによる処理もまた、アラーム発生直後にオンラインで実行されるものである。アラームがプラント１で発生し、画面表示制御手段５に通知された際、アラーム連動操作抽出手段１０が実行される。
【００６５】
処理が開始されると、通知されたアラームＡＬから、ステップＳ１０において発生アラームデータの取得を行う。発生アラームデータが取得できない場合、処理は終了する。
【００６６】
発生アラームデータが取得できると、ステップＳ１１において図７の発生アラームデータの移行フラグ（２８）を判定する。移行済みを示す「１」の場合、ステップＳ１７において、移行済みのアラーム連動操作データベース１２から操作情報の抽出を行う。
【００６７】
ステップＳ１７では、さらに移行済みのアラーム連動操作データベース１２から抽出した操作情報を画面表示制御手段５に送出して、過去事例のときの操作内容を図２の運転監視画面Ｄのメニュー１４に反映させる。この結果、図３のメニュー画面１４上でのポインタ１０１の右クリックにより、複合メニュー１５には過去アラーム事例のときに、運転員が実行した複数の操作が同時に表示される。図３の例では、アラーム発生計器の表示、アラーム発生系統のグラフィック表示、アラーム発生時の関連する各種データの時系列（トレンド）表示が表示されており、過去事例では運転員がこの順番に画面遷移させて現象の解明に当ったことが判る。
【００６８】
未移行を示す値「０」の場合、ステップＳ１２において抽出設定のソート条件を判定し、ソート条件を各々設定する。これらの設定は、図５のアラーム連動操作設定画面のソート部分１８を用いて行われる。ステップＳ１３ではソート回数を、ステップＳ１４では操作時間を、ステップＳ１５では熟練度を設定する。
【００６９】
ステップＳ１６では、ステップＳ１３からステップＳ１５のいずれかにおいて設定されたソート条件に基づいて、アラーム連動操作履歴データベース９から今回の発生アラームに対する使用操作データの抽出を行う。
【００７０】
今回のアラーム発生事例の場合には、図７の発生アラームデータのＩＤ（ＩＤ１）に関連する情報と、図９の使用操作データのＩＤ（ＩＤ１）に関連する情報と、上記ＩＤで特定された図１１の操作者Ｎｏおよび図６の経過時間の情報が抽出可能である。
【００７１】
ステップＳ１６では、ステップＳ１７と同様にして、アラーム連動操作履歴データベース９から抽出した操作情報を画面表示制御手段５に送出して、過去事例のときの操作内容を図２の運転監視画面Ｄのメニュー１４に反映させる。この結果、図３のメニュー画面１４上でのポインタ１０１の右クリックにより、複合メニュー１５には過去アラーム事例のときに、運転員が実行した複数の操作が同時に表示される。図３の例では、アラーム発生計器の表示、アラーム発生系統のグラフィック表示、アラーム発生時の関連する各種データの時系列（トレンド）表示が表示されており、過去事例では運転員がこの順番に画面遷移させて現象の解明に当ったことが判る。
【００７２】
上記のように、図１４の処理もアラーム直後に実行され、移行済み情報が存在する場合にはアラーム連動操作データベース１２の情報を運転監視画面Ｄのメニュー１４に反映させ、移行済み情報が存在しない場合にはアラーム連動操作履歴データベース９の情報を運転監視画面Ｄのメニュー１４に反映させて、過去事例での運転員による画面操作を表示する。
【００７３】
最後に、アラームが発生していないオフタイムに実行するアラーム連動操作移行手段１１の機能について説明する。図１５は、アラーム連動操作移行手段１１を作動させたときの表示装置７に表示される運転操作画面の一例を示している。この画面は、アラーム連動操作移行ダイアログ画面である。この画面上で、選択項目はアラーム種別１０１と、抽出条件１０２である。
【００７４】
運転員は、この画面に対峙して、まずアラーム種別項目に移行を行うアラーム種別１０１を選択し、付加情報１および付加情報２を指定する。図１５の例では、アラーム種別１０１として選択ボタン１０８により、「ＰＨ発生」を選択したとする。この場合、図７のアラーム種別（２５）の欄の０７００７が、図８に示すようにアラーム名称「ＰＨ発生」を意味しており、これをキーとして図７の付加情報（２６）としてアラーム発生を検知した計測器名称を意味するＰＩＣ１００２が、付加情報（２７）として情報なしが読み出されて、画面表示される。
【００７５】
次に操作員がこの画面上で、抽出条件１０２を選択すべく、選択ボタン１０９を用いて熟練度を選択したとする。これにより、アラーム連動操作履歴データベース９から、抽出条件に従った操作がリスト表示される。この場合には、熟練度を抽出条件としており、アラーム連動操作履歴データベース９の各種のテーブルの中から、指定された熟練度の要求に応じた操作がリスト表示される。
【００７６】
また、表示された操作の中から、特定の操作を選択し、右矢印ボタン１０３をクリックして、移行操作リスト１０４を構成する。移行操作リスト１０４の項目は、優先順番を上下矢印１０５により変更を可能とする。各種の抽出条件により出力された内容から、特定の移行操作リスト１０４を構成し、移行ボタン１０６をクリックすると、アラーム連動操作データベース１２に移行操作リストの情報が登録される。また、移行を行った図７の発生アラームテーブルの移行フラグ（２８）には、移行を示す１がセットされる。
【００７７】
以上により、発生したアラームに対する過去に操作した内容を運転監視画面のメニュー上に表示することで容易に操作が可能となる。また、蓄積した操作履歴データベースから特定の操作を抽出して移行させることで、常に同じ操作を行うことが可能となる。
【産業上の利用可能性】
【００７８】
本発明は、各種プラントにおいて適用できる。
【符号の説明】
【００７９】
１：プラント
２：プラント情報入力手段
３：プラント情報データベース
４：アラーム履歴データベース
５：画面表示制御手段
６：操作内容入力手段
７：表示装置
８：アラーム連動操作記録手段
９：アラーム連動操作履歴データベース
１０：アラーム連動操作抽出手段
１１：アラーム連動操作移行手段
１２：アラーム連動操作データベース
【図１】
0005575617.tif 000002
【図２】
0005575617.tif 000003
【図３】
0005575617.tif 000004
【図４】
0005575617.tif 000005
【図５】
0005575617.tif 000006
【図６】
0005575617.tif 000007
【図７】
0005575617.tif 000008
【図８】
0005575617.tif 000009
【図９】
0005575617.tif 000010
【図１０】
0005575617.tif 000011
【図１１】
0005575617.tif 000012
【図１２】
0005575617.tif 000013
【図１３】
0005575617.tif 000014
【図１４】
0005575617.tif 000015
【図１５】
0005575617.tif 000016